(57)【特許請求の範囲】
【請求項１】
テレビ視聴装置と、前記テレビ視聴装置と通信可能なＷＥＢサーバとを含む視聴者参加型の映像視聴システムであって、
前記ＷＥＢサーバは、
ユーザから投稿された画像と、投稿したユーザのユーザ識別情報と、投稿対象となった番組情報とを関係付けて記憶するデータベースと、
前記テレビ視聴装置から受信した検索条件に基づき、前記データベースから画像を検索する画像検索手段と、
検索の結果得られた前記画像に対して拡大縮小を行って画面構成を行った前記検索結果画像を前記テレビ視聴装置へ送信する画像送信手段とを備え、
前記テレビ視聴装置は、
ユーザの入力操作によって、チャンネル番号を入力する入力手段と、
前記チャンネル番号のテレビ映像を受信するテレビ受信手段と、
前記テレビ視聴装置で受信中の番組に関する番組情報を受信する番組情報受信手段と、
前記番組情報とユーザ識別情報とを含む検索条件を前記ＷＥＢサーバに送信し、前記ＷＥＢサーバから送信された検索結果画像を受信する画面制御手段と、
受信した前記検索結果画像と前記テレビ映像とを合成してモニタに出力する表示制御手段とを備えた
ことを特徴とする映像視聴システム。
【請求項２】
コンピュータを請求項１に記載の映像視聴システムとして機能させるための映像視聴プログラム。
【発明の詳細な説明】
【技術分野】
【０００１】
本発明は、テレビの放送番組を視聴しつつ、ユーザが投稿した画像を自由に閲覧可能な視聴者参加型の映像視聴システム及び映像視聴プログラムに関する。
【背景技術】
【０００２】
従来から、テレビの放送波のテレビ番組と、Ｗｅｂシステムのテレビ番組とを、シームレスで融合して両テレビ番組の利点を同時に有効活用する視聴者参加型のテレビ番組システムが知られている（例えば、特許文献１参照）。このような、いわゆる視聴者参加型映像視聴システムでは、電波の映像と、Ｗｏｒｌｄ  Ｗｉｄｅ  Ｗｅｂ（インターネット上で提供されるハイパーテキストシステム；以下、単にＷＥＢと称する）での映像を同時視聴する方法が提案されている。
【先行技術文献】
【特許文献】
【０００３】
【特許文献１】特開２００４−５６２７４号公報
【発明の概要】
【発明が解決しようとする課題】
【０００４】
しかしながら、特許文献１に記載の視聴者参加型映像視聴システムにあっては、視聴者が自由に自分の投稿した投稿画像をテレビ映像とともに閲覧することができないという問題がある。
【０００５】
本発明は、このような事情に鑑みてなされたもので、テレビの放送波で放送されたテレビ番組映像と、ＷＥＢサーバからネットワークを経由して送信された投稿画像とをそれぞれ受信して、テレビ番組映像と投稿画像とを連動して表示することができる映像視聴システム及び映像視聴プログラムを提供することを目的とする。
【課題を解決するための手段】
【０００６】
本発明は、テレビ視聴装置と、前記テレビ視聴装置と通信可能なＷＥＢサーバとを含む視聴者参加型の映像視聴システムであって、前記テレビ視聴装置は、ユーザの入力操作によって、チャンネル番号を入力する入力手段と、前記チャンネル番号のテレビ映像を受信するテレビ受信手段と、前記チャンネル番号の番組情報を受信する番組情報受信手段と、前記番組情報とユーザ識別情報とを含む検索条件を前記ＷＥＢサーバに送信し、前記ＷＥＢサーバから送信された検索結果画像を受信する画面制御手段と、受信した前記検索結果画像と前記テレビ映像とを合成してモニタに出力する表示制御手段とを備え、前記ＷＥＢサーバは、前記番組情報と、ユーザ識別情報と、前記ユーザ識別情報が示す前記ユーザから投稿された画像とを関係付けて記憶するデータベースと、前記テレビ視聴装置から受信した前記検索条件に基づき、前記データベースから前記画像を検索する画像検索手段と、検索の結果得られた前記画像に対して拡大縮小を行って画面構成を行った前記検索結果画像を前記テレビ視聴装置へ送信する画像送信手段とを備えたことを特徴とする。
【０００７】
本発明は、コンピュータを前記映像視聴システムとして機能させるための映像視聴プログラムである。
【発明の効果】
【０００８】
本発明によれば、テレビの放送波を受信し、受信したテレビ番組映像と、受信したチャンネルの番組に関して視聴者が送信した投稿画像とを同時に表示することで、テレビの放送と共に、自分の送った投稿画像を視聴することができる。そのため、ユーザにとって番組に参加しているような感覚が増し、ユーザの満足度を向上させることができるという効果が得られる。また従来のシステムの画面ではテキストメッセージのみの表示だけだったため、手書き文字のようなイメージ情報があるとより感動を伝えることができるという効果も得られる。
【図面の簡単な説明】
【０００９】
【図１】本発明の一実施形態の構成を示すブロック図である。
【図２】番組データベースのテーブル構造を示す説明図である。
【図３】視聴者参加型映像視聴システムにおける画面イメージを示す説明図である。
【発明を実施するための形態】
【００１０】
以下、図面を参照して、本発明の一実施形態による視聴者参加型の映像視聴システムを説明する。図１は同実施形態の構成を示すブロック図である。この図に示す映像視聴システムは、ユーザがテレビ放送を視聴するテレビ視聴装置１、画面表示を行うモニタ７、ユーザが入力操作を行うユーザインタフェース８、テレビ放送を行うＸ放送局が運用するＸ放送局ＷＥＢサーバ１０及びテレビ放送を行うＹ放送局が運用するＹ放送局ＷＥＢサーバ１６によって構成する。
【００１１】
テレビ受信部２は放送局からテレビの放送波を受信する。画面制御部３は、テレビ受信部２がテレビの放送波を受信したと同時に映像・投稿画像を得て画面を制御する。表示制御部４は、画面制御部３から送られた映像と投稿画像を入力して合成し、モニタ７に映像を送る。番組情報受信部５は、放送局から受信した放送波から番組情報を取得する。そして、ユーザコマンド入力部６はユーザインターフェース８からコマンドを受け取り、このコマンドを画面制御部３に送る。
【００１２】
Ｘ放送局ＷＥＢサーバ１０は、画像を検索する画像検索部１１、コマンドを受け付けるコマンド受付部１２、表示する画面を構成する画面構成部１３及び２つの番組データベースＡ番組データベース１４、Ｂ番組データベース１５により構成する。Ｙ放送局ＷＥＢサーバ１６は、Ｘ放送局ＷＥＢサーバ１０と同様の構成を備えている。
【００１３】
Ｘ放送局ＷＥＢサーバ１０のコマンド受付部１２はテレビ視聴装置１から番組情報やコマンドをネットワーク９を介して受け取る。画像検索部１１は、コマンド受付部１２から受け取った番組情報やコマンドにより、投稿画像を検索する。画面構成部１３は画像検索部１１が検索した投稿画像を画面構成する。
【００１４】
テレビ番組及び投稿画像は二つの経路（（Ａ）、（Ｂ））により受信される。
（Ａ）テレビの放送波で送られる実時間で放映される番組
（Ｂ）利用者が送る投稿画像を受信した、放送局内にあるＷＥＢサーバ
【００１５】
次に、図２を参照して、図１に示す２つの番組データベース（Ａ番組データベース１４、Ｂ番組データベース１５）のテーブル構造を説明する。図２は、図１に示す２つの番組データベースのテーブル構造を示す図である。番組データベースは、番組データを一意に識別可能な識別番号と、ＦＡＸ画像等のファイル名、ＦＡＸを送信した側の電話番号、送信日時が関係付けられて記憶される。
【００１６】
ただし、各放送局のＷＥＢサーバの番組データベースは図２に示す形式に限らない。投稿画像の特徴量を抽出してデータベースを構成しても良いし、被写体ごとに分類しても良い。また、動画像の場合には、付随している音声情報から特徴量を抽出してデータベースを構成しても良いし、音楽や声などを抽出して分類しても良い。
【００１７】
次に、図面を参照して、図１に示す視聴者参加型の映像視聴システムの動作を説明する。まず、ユーザが、ユーザコマンド入力部６を操作して見たい放送局を選択すると、テレビ受信部２は、選択された放送局のテレビ放送を受信する。これと同時に、番組情報受信部５は番組名を受信する。また、ユーザコマンド入力部６は画面制御部３に対して、選択されている放送局の識別情報を送る。画面制御部３は、選択されている放送局のＷＥＢサーバ（ここでは、Ｘ放送局ＷＥＢサーバ１０とする）のコマンド受付部１２に対して、検索条件と番組情報を送る。
【００１８】
次に、コマンド受付部１２が画像検索部１１に対して検索条件と番組情報を送ると、画像検索部１１は番組に関する投稿画像を番組データベース（ここでは、Ａ番組データベース１４とする）から検索する。この検索条件には、ユーザ識別情報が含まれる。画像検索部１１が検索した投稿画像を画面構成部１３に送ると、画面構成部１３は画面を構成し、構成した画面をテレビ視聴装置１の画面制御部３へ送る。
【００１９】
これを受けて、画面制御部３は画面構成した投稿画像を受信し、表示制御部４に送る。表示制御部４はテレビ受信部２において受信した映像と画面構成された投稿画像をモニタ７に送る。これにより、映像と画面構成した投稿画像はモニタ７に表示されることになる。
【００２０】
例えば、Ｘ放送局ＷＥＢサーバ１０のデータベースが電話番号とＦＡＸ画像の場合、画像検索部１１はＡ番組データベース１４から電話番号をキーとして利用者の送信したＦＡＸ画像のファイル名を検索し、このファイル名の画像ファイルを画面構成部１３に送る。画面構成部１３はネットワーク９を介して、テレビ視聴装置１に画面構成した投稿画像を送信する。
【００２１】
ここで、図３を参照して、モニタ７に表示画面について説明する。図３は、視聴者参加型映像視聴システムにおける画面イメージを示す説明図である。図３に示すように、モニタ７に表示される画面は、左側に放送局のテレビ映像が表示され、それと共に、右側に投稿画像が連動して表示される。投稿画面は、自分が投稿した縮小投稿画像と自分が投稿した拡大投稿画像の他、他人Ｐ、他人Ｑの縮小された投稿画像が表示されることになる。
【００２２】
例えば、Ｘ放送局ＷＥＢサーバ１０のＡ番組データベースが電話番号とＦＡＸ画像からなる場合、自分の送信したＦＡＸ画像が検索され、画面の右側の下段に拡大して表示される。また右側画面の上段には自分のＦＡＸ画像の縮小画像とともに、他人Ｐ、他人ＱのＦＡＸ画像の縮小画像が表示される。
【００２３】
他人Ｐ、他人ＱのＦＡＸ画像は、検索条件として送信日時順に表示される。検索条件の例として、送信日時順、地域順、類似画像順などを用いてもよい。なお、投稿画像は、ＦＡＸの他にユーザの撮影した画像や動画像などでも良い。
【００２４】
図３に示す画面において、右側画面の上段にある他人Ｐの縮小画像をマウス（ユーザインタフェース８）でクリックすることにより右側画面の下段に他人ＰのＦＡＸ画像が拡大して表示される。このとき、画面制御部３は、Ｘ放送局ＷＥＢサーバ１０のコマンド受付部１２へ、他人Ｐの拡大画像を要求する。画像検索部１１は他人Ｐの画像を検索し、画面構成部１３は他人Ｐの拡大画像を先に画面を構成し、画面制御部３へ送信する。これにより他人Ｐの拡大画像が表示されることになる。
【００２５】
ユーザコマンド入力部６で、Ｙ放送局の番組が選択された場合には、画面制御部３は、Ｙ放送局ＷＥＢサーバ１６へ、検索条件と番組情報を送信する。なお、画面構成部１３で構成される画面は図３に限らない。投稿画像が適切に表示されていれば良い。必ずしも自分の縮小画像が表示されていなくても良く、また他人の縮小画像が表示されなくても良い。
【００２６】
以上説明したように、テレビの放送波を受信し、受信した番組と、受信したチャンネルの番組に関する視聴者の送信した投稿画像とを同時に、表示することで、テレビの放送と共に、自分の送った投稿画像を視聴することができ、ユーザにとって番組に参加しているような感覚が増し、ユーザの満足度を向上させることができる。また従来のシステムの画面ではテキストメッセージのみの表示だけだったため、手書き文字のようなイメージ情報があるとより感動が伝えることができる。
【００２７】
なお、図１における処理部の機能を実現するためのプログラムをコンピュータ読み取り可能な記録媒体に記録して、この記録媒体に記録されたプログラムをコンピュータシステムに読み込ませ、実行することにより映像視聴処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００２９】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行っても良い。
【産業上の利用可能性】
【００３０】
テレビの放送番組を視聴しつつ、ユーザが投稿した画像を自由に閲覧可能な視聴者参加型の映像視聴システムを構築することが不可欠な用途に適用できる。
【符号の説明】
【００３１】
１・・・テレビ視聴装置、２・・・テレビ受信部、３・・・画面制御部、４・・・表示制御部、５・・・番組情報受信部、６・・・ユーザコマンド入力部、７・・・モニタ、８・・・ユーザインタフェース、９・・・ネットワーク、１０・・・Ｘ放送局ＷＥＢサーバ、１１・・・画像検索部、１２・・・コマンド受付部、１３・・・画面構成部、１４・・・Ａ番組データベース、１５・・・Ｂ番組データベース、１６・・・Ｙ放送局ＷＥＢサーバ
【図１】
0005681653.tif 000002
【図２】
0005681653.tif 000003
【図３】
0005681653.tif 000004